(57)【要約】【課題】映像表示装置内にて読み込まれるＤＶＤなどの記録媒体の走行状態を直接確認することができなかった。【解決手段】撮像手段を本体の所定位置に備えた映像表示装置において、本体が内蔵する記録媒体読み出し手段に撮影方向を向けた状態で本体内部に配置されるとともに上記記録媒体読み出し手段に対して挿入された記録媒体の走行状態を撮影する上記撮像手段と、上記撮像手段が撮影した映像を本体画面上に表示する映像出力手段とを備えることとした。【選択図】図２
2006331551.tif 000002
【特許請求の範囲】
【請求項１】
ＣＣＤカメラを本体の所定位置に備えた液晶テレビジョンにおいて、
本体内部に配置され、本体が内蔵するＤＶＤドライブが回転せしめるディスクの盤面と略平行な角度からディスクの走行状態を撮影するとともに、上記本体内部の配置位置から本体外部へ取り外し可能である上記ＣＣＤカメラと、
本体内部に配置され、ＣＣＤカメラの撮影範囲を照らす内部照明と、
ＣＣＤカメラが撮影した映像を標準再生またはスローモーション再生にて、本体画面中の所定領域に確保したサブ画面に表示する映像出力回路とを備え、
かつ、ＤＶＤドライブがディスクの盤面に対して所定の角度に傾いた状態にて鏡面に同盤面を映すミラーを備え、ＣＣＤカメラが当該鏡面を撮影範囲に含むことにより、上記映像出力回路がディスクの盤面の映像をも表示可能であることを特徴とする液晶テレビジョン。
【請求項２】
撮像手段を本体の所定位置に備えた映像表示装置において、
本体が内蔵する記録媒体読み出し手段に撮影方向を向けた状態で本体内部に配置されるとともに、上記記録媒体読み出し手段に対して挿入された記録媒体の走行状態を撮影する上記撮像手段と、
上記撮像手段が撮影した映像を本体画面上に表示する映像出力手段と、
を備えることを特徴とする映像表示装置。
【請求項３】
上記撮像手段は、記録媒体読み出し手段が回転せしめる円盤状の上記記録媒体を、同記録媒体の盤面と略平行な角度から撮影することを特徴とする請求項２に記載の映像表示装置。
【請求項４】
上記撮像手段は、記録媒体を撮影するための上記本体内部の配置位置から本体外部へ取り外し可能であることを特徴とする請求項２または請求項３のいずれかに記載の映像表示装置。
【請求項５】
上記映像出力手段は、本体画面中の所定領域に確保したサブ画面に上記表示を行うことを特徴とする請求項２〜請求項４のいずれかに記載の映像表示装置。
【請求項６】
上記映像出力手段は、撮像手段が撮影した映像をスローモーションにて表示することを特徴とする請求項２〜請求項５のいずれかに記載の映像表示装置。
【請求項７】
上記記録媒体読み出し手段は、記録媒体の盤面に対して所定の角度に傾いた状態にて鏡面に同盤面を映すミラーを備え、上記撮像手段は、当該鏡面を撮影範囲に含むことにより記録媒体の盤面を撮影し、上記映像出力手段は、当該盤面の映像を表示することを特徴とする請求項２〜制球項６のいずれかに記載の映像表示装置。
【請求項８】
本体内部には上記撮像手段の撮影範囲を照らす内部照明が備えられていることを特徴とする請求項２〜請求項７のいずれかに記載の映像表示装置。
【発明の詳細な説明】
【技術分野】
【０００１】
本発明は、撮像手段を本体の所定位置に備えた液晶テレビジョンおよび映像表示装置に関する。
【背景技術】
【０００２】
従来技術として、映像表示装置にＣＣＤカメラ等の撮像手段を一体化させたものが知られている（例えば、特許文献１〜３参照。）。
【特許文献１】特開平６‐７０３１４号公報
【特許文献２】特開平９‐３２７００６号公報
【特許文献３】特開平６‐６２３３７号公報
【発明の開示】
【発明が解決しようとする課題】
【０００３】
上記各文献は、いずれもカメラの撮影方向を映像表示装置の外部に向け、映像表示装置の前にいる者を撮影した映像や通信相手から送られてきた撮影映像を画面に表示する技術である。そのため、かかる従来技術によっては、映像表示装置内部における動作状態や動作の不具合をユーザが確認することはできなかった。
【０００４】
本発明は、上記課題に鑑みてなされたもので、特に、ＤＶＤドライブなどの記録媒体読み出し手段を一体的に内蔵する場合に装置の内部における動作状態や動作の不具合を直接的に確認することが可能な液晶テレビジョンおよび映像表示装置を提供することを目的とする。
【課題を解決するための手段】
【０００５】
上記目的を達成するために請求項２の発明は、撮像手段を本体の所定位置に備えた映像表示装置において、本体が内蔵する記録媒体読み出し手段に撮影方向を向けた状態で本体内部に配置されるとともに、上記記録媒体読み出し手段に対して挿入された記録媒体の走行状態を撮影する上記撮像手段と、上記撮像手段が撮影した映像を本体画面上に表示する映像出力手段とを備える構成としてある。
【０００６】
上記のように構成した請求項２の発明においては、映像表示装置内には、記録媒体読み出し手段および記録媒体読み出し手段に対して撮影方向を向けた状態の撮像手段が内蔵されている。撮像手段は、記録媒体読み出し手段に対して挿入された記録媒体の走行状態を撮影し、映像出力手段が上記撮影された映像を本体画面上に表示する。
すなわち本発明によれば、ユーザは、映像表示装置が内蔵する記録媒体読み出し手段における記録媒体の走行状態を目視により確認できる。
【０００７】
請求項３の発明は、請求項２に記載の映像表示装置において、上記撮像手段は、記録媒体読み出し手段が回転せしめる円盤状の上記記録媒体を、同記録媒体の盤面と略平行な角度から撮影する構成としてある。
つまり、記録媒体読み出し手段にはＤＶＤやＣＤ等の円盤状の記録媒体が挿入される。そして、かかる記録媒体を盤面と略平行な角度から撮影し、撮影映像を画面に表示することで、記録媒体の回転状況の良否やローディング不良の存否などを直接確認することができる。
【０００８】
請求項４の発明は、請求項２または請求項３のいずれかに記載の映像表示装置において、上記撮像手段は、記録媒体を撮影するための上記本体内部の配置位置から本体外部へ取り外し可能である構成としてある。
撮像手段を記録媒体の走行状態の撮影のためだけに本体内に止めておくのではなく、本体外部へ取り出し可能としておけば、映像表示装置外の対象をも撮影でき用途が広がる。
【０００９】
請求項５の発明は、請求項２〜請求項４のいずれかに記載の映像表示装置において、上記映像出力手段は、本体画面中の所定領域に確保したサブ画面に上記表示を行う構成としてある。
画面の全体に撮像手段による撮影映像を出力するとしても良いが、本体画面中の所定領域に確保したサブ画面に上記表示を行えば、ユーザは、テレビジョン放送による映像や記録媒体に記録した映像の視聴の傍ら、記録媒体の走行状態を目視により確認することができる。
【００１０】
請求項６の発明は、請求項２〜請求項５のいずれかに記載の映像表示装置において、上記映像出力手段は、撮像手段が撮影した映像をスローモーションにて表示する構成としてある。
記録媒体の走行はかなりの高速であるため、撮像手段が撮影した映像をスローモーション再生することで、ユーザは記録媒体の走行状態をより確実に視認することができるようになる。
【００１１】
請求項７の発明は、請求項２〜制球項６のいずれかに記載の映像表示装置において、上記記録媒体読み出し手段は、記録媒体の盤面に対して所定の角度に傾いた状態にて鏡面に同盤面を映すミラーを備え、上記撮像手段は、当該鏡面を撮影範囲に含むことにより記録媒体の盤面を撮影し、上記映像出力手段は、当該盤面の映像を表示する構成としてある。
【００１２】
上記のように構成した請求項７においては、記録媒体読み出し手段は記録媒体の盤面に対して所定の角度に傾いた状態にて鏡面に同盤面を映すミラーを備えており、撮像手段は、当該鏡面を撮影範囲に含むことにより記録媒体の盤面を撮影する。その結果、映像出力手段は当該盤面の映像を表示することが可能となる。このように、本体画面に記録媒体の盤面の映像をも表示することで、ユーザは記録媒体読み出し手段に挿入した記録媒体のレーベルを確認することが可能となる。
【００１３】
請求項８の発明は、請求項２〜請求項７のいずれかに記載の映像表示装置において、本体内部には、上記撮像手段の撮影範囲を照らす内部照明が備えられている構成としてある。
通常、映像表示装置の内部は暗いため、内部照明を備えることで、撮像手段による記録媒体の撮影を確実なものとする。
【００１４】
以上の各構成を踏まえて、請求項１の発明は、ＣＣＤカメラを本体の所定位置に備えた液晶テレビジョンにおいて、本体内部に配置され、本体が内蔵するＤＶＤドライブが回転せしめるディスクの盤面と略平行な角度からディスクの走行状態を撮影するとともに、上記本体内部の配置位置から本体外部へ取り外し可能である上記ＣＣＤカメラと、本体内部に配置され、ＣＣＤカメラの撮影範囲を照らす内部照明と、ＣＣＤカメラが撮影した映像を標準再生またはスローモーション再生にて、本体画面中の所定領域に確保したサブ画面に表示する映像出力回路とを備え、かつ、ＤＶＤドライブがディスクの盤面に対して所定の角度に傾いた状態にて鏡面に同盤面を映すミラーを備え、ＣＣＤカメラが当該鏡面を撮影範囲に含むことにより、上記映像出力回路がディスクの盤面の映像をも表示可能である構成としてある。
【００１５】
このような、より具体的な構成において請求項２〜請求項８の各発明と同様の作用および効果を奏することは言うまでもない。
【発明の効果】
【００１６】
以上説明したように本発明によれば、ＤＶＤドライブ等の記録媒体読み出し手段を一体的に備えた映像表示装置にて、記録媒体読み出し手段に挿入した記録媒体の走行状態を画面上で視認でき、記録媒体のローディング不良や回転不良があった場合にユーザはかかる不具合を確実に認識することができる。
また、ピックアップからのレーザー光が記録媒体に正常に照射されているかといったことも確認できる。
さらに、記録媒体のレーベル面を画面に表示することで、ユーザはそのとき装置内に挿入している記録媒体が何を記録したものであるかを確認することができ便利である。
【発明を実施するための最良の形態】
【００１７】
（１）液晶テレビジョンの構成
図１は、本発明の一実施形態にかかる液晶テレビジョン１００を斜視図により示している。
液晶テレビジョン１００の外観は、概略、前面側に開口を形成するキャビネット９０と、キャビネット９０の底面から下方に延設して装置全体を支持するスタンド９１と、開口から外部に露出させた範囲を画面とする液晶パネル１０とからなる。液晶テレビジョン１００は、ＤＶＤドライブ３０をキャビネット９０の所定位置に内蔵したＤＶＤ再生機能付きテレビジョンであり、同図に示すようにキャビネット９０の側面にはＤＶＤドライブ３０のディスク挿入口３１が形成されている。
【００１８】
ユーザは、ＤＶＤやＣＤ等のディスク６０をディスク挿入口３１からＤＶＤドライブ３０に挿入することにより、液晶テレビジョン１００にディスク６０を再生させ、所望の映像を画面にて鑑賞する。
図２は、液晶テレビジョン１００の内部を側面方向から簡略的に示している（ただし、スタンド９１は省略）。同図に示すように、キャビネット９０（２点鎖線）内部においては、前面側に液晶パネル１０を配設し、当該液晶パネル１０の背面側にメイン基板２０を配設し、さらに当該メイン基板２０の背面側に上述のＤＶＤドライブ３０を配設している。
【００１９】
ここで本実施形態においては、ＤＶＤドライブ３０に挿入したディスク６０を撮影するために、キャビネット９０内の所定位置にＣＣＤカメラ４０を設置している。ＣＣＤカメラ４０は、同図に示すように、その撮影方向をＤＶＤドライブ３０側に向けた状態にてキャビネット９０に内蔵される。なお、ＤＶＤドライブ３０の各部位のうちＣＣＤカメラ４０のレンズと相対している側面については、透明の素材で形成するか、或いはその一部範囲の部材を取り払って覗き口を形成するなどして、内部のディスク６０が外側から見られるようにする。
【００２０】
また、キャビネット９０内の所定位置には内部照明５０が設置される。内部照明５０は、ＣＣＤカメラ４０がＤＶＤドライブ３０内のディスク６０を撮影する際の明るさを確保するための照明であり、ＣＣＤカメラ４０の撮影範囲を照らすことができれば、その設置位置は特に限定されない。
【００２１】
図３は、液晶テレビジョン１００の回路構成を簡易的にブロック図により示している。液晶テレビジョン１００は、概略、チューナ回路８１と、画像データ生成回路８２と、液晶パネル駆動回路８３と、液晶パネル１０と、マイコン８４とからなる。当該構成においてマイコン８４は、上記各回路とバス７０を介して接続しており、図示しないＣＰＵが、ＲＯＭやＲＡＭなどに書き込まれた各プログラムに従って、テレビジョン全体を制御する。
【００２２】
チューナ８１は、マイコン８４の制御により、アンテナ８１ａを介してテレビジョン放送信号を受信し、所定の信号増幅処理等を行いつつ、テレビジョン放送信号から中間周波信号としての映像信号を抽出する。
画像データ生成回路８２は、映像信号から抽出した輝度信号と色差信号とに基づいてマトリクス変換処理を行ない、画像データとしてのＲＧＢ（レッド、グリーン、ブルー）信号を生成するとともに、このＲＧＢ信号に対して液晶パネル１０の画素数に合わせたスケーリング処理を行い、１画面分の画像データを生成する。
このようにして生成された画像データは、液晶パネル駆動回路８３に出力され、液晶パネル駆動回路８３は、当該画像データに基づいて所定の映像を液晶パネル１０上に表示させる。
【００２３】
また、バス７０には、ＤＶＤドライブ３０およびＣＣＤカメラ４０がぞれぞれ接続している。
ＤＶＤドライブ３０にディスク６０を挿入して同ディスク６０が記録する映像を鑑賞する場合には、ＤＶＤドライブ３０によるディスク６０の読み込みによって同ＤＶＤドライブ３０から出力されたデジタル信号としての映像信号が画像データ生成回路８２に入力される。画像データ生成回路８２では、当該映像信号に基づく画像データの生成処理を実行し、当該生成された画像データによって液晶パネル駆動回路８３が駆動され、その結果、液晶パネル１０上に、ディスク６０が記録する映像が再生される。
【００２４】
ＣＣＤカメラ４０で撮影する映像を画面表示する場合も、ＣＣＤカメラ４０から出力されたデジタル信号としての映像信号が画像データ生成回路８２に入力される。
ただし、ＣＣＤカメラ４０からの映像は、基本的には、液晶パネル１０の画面の特定範囲に確保されたサブ画面１１（子画面とも言う。）に表示され、サブ画面以外の画面領域（親画面とも言う。）には、ＣＣＤカメラ４０以外の入力系統（チューナ回路８１またはＤＶＤドライブ３０）から入力された映像信号による映像表示がなされる。
【００２５】
つまり、液晶テレビジョン１００は、いわゆるピクチャー・イン・ピクチャー機能を有する。具体的には、画像データ生成回路８２は、二つの入力系統から入力された映像信号からそれぞれに画像データを生成する（チューナ回路８２からの映像信号またはＤＶＤドライブ３０からの映像信号に基づいて生成した画像データを第一画像データと、ＣＣＤカメラ４０からの映像信号に基づいて生成した画像データを第二画像データと呼ぶ。）とともに、第一画像データと第二画像データとを合成し、サブ画面１１には第二画像データに基づく縮小された映像を、親画面には第一画像データに基づく映像をそれぞれ同時に表示させる合成画像データを生成する。そして、このような合成画像データが液晶パネル駆動回路８３に出力されることで、一画面の全体のうち親画面にはテレビジョン放送信号による映像またはディスク６０に記録された映像が表示され、サブ画面１１にはＣＣＤカメラ４０の撮影による映像が表示される。
【００２６】
（２）ディスクの撮影態様について
図４は、ＣＣＤカメラ４０とディスク６０との相対的な位置関係の一例を示している。
同図のディスク６０は、ＤＶＤドライブ３０内に挿入された状態を示しているが、ＤＶＤドライブ３０自体の図示は省略してある。ディスク６０は正常にローディングされている場合には、ＤＶＤドライブ３０内にて高速回転しながらピックアップの光源からのレーザー光の照射を受ける。
【００２７】
本実施形態においては、ＣＣＤカメラ４０はディスク６０の盤面と略平行な角度からディスク６０を撮影する。かかる角度に設置されたＣＣＤカメラ４０によって、ディスク６０の周縁部およびＤＶＤドライブ３０の内部が撮影され、当該撮影した映像は上述した各回路の処理によって、図６に示すようにサブ画面１１にリアルタイムで再生される（標準再生）。図６においては、簡略的に、サブ画面１１にディスク６０の周縁部のみを表現している。
【００２８】
このようにＤＶＤドライブ３０内のディスク６０を撮影するため、ユーザは、サブ画面１１の映像を見ることで、ディスク６０の回転不良や、レーザー光が正常に照射されていないこと等によるローディング不良を視認でき、ディスク６０の読み込み作業における不具合の存否を容易に把握できる。
【００２９】
なお、ディスク６０はＤＶＤドライブ３０内において高速で回転するため、ユーザが目視により確認できる事項には限界がある。そこで、上記画像データ生成回路８２にスローモーション再生機能を持たせ、サブ画面１１に表示する映像についてはスローモーション再生するようにしてもよい。その結果、ユーザは、回転動作中のディスク６０の微妙な誤動作等を確認することが可能となる。
【００３０】
図５は、ＣＣＤカメラ４０によるディスク６０の撮影の態様であって、図４とは異なる例を示している。
同図においては、ディスク６０の上方に、ディスク６０の盤面に対して所定の角度で傾いて設置されたミラー３２が存在する点で図４と相違する。ミラー３２は、その鏡面がディスク３０の盤面と略平行な角度でディスク６０を撮影するＣＣＤカメラ４０の撮影範囲に含まれるように設置する。このような構成とすることで、ミラー３２に映ったディスク６０の上面（レーベル面）をも撮影することが可能となり、サブ画面１１中にはディスク６０の周縁部およびＤＶＤドライブ３０の内部に加えて、ディスク６０のレーベル面が表示される。
【００３１】
このように、ディスク６０の上からの映像が加わることで、ユーザにとって、レーベル面の表示により現在ＤＶＤドライブ３０に挿入されているディスク６０が何であるかが判り便利であるし、ディスク６０の走行状態が正常であるか異常であるかを判断するための要素が増える。
なお、ミラー３２を設置して撮影を行う場合には、サブ画面１１にディスク６０の周縁部とレーベル面との両方を表示する場合と、何れか一方を表示する場合とを切り替え可能としてもよい。かかる映像画面の切り替えはユーザのリモコン操作などによる指示信号を受けたマイコン８４が画像データ生成回路８２等の各回路を制御して実現する。
【００３２】
例えば、レーベル面のみをサブ画面１１に表示することをユーザが指示した場合には、マイコン８４は、ＣＣＤカメラ４０から入力した映像信号から生成した第二画像データのうちレーベル面を表示する領域の画像データをサブ画面１１のサイズにスケーリング処理して当該処理後の画像データに基づいてサブ画面１１に映像表示を行うように、各回路を制御する。
【００３３】
さらに本発明においては、以下の構成を採用可能である。
ＣＣＤカメラ４０はディスク６０の走行状態を撮影するためのものであるが、キャビネット９０内に完全に固定されている必要はなく、自由に取り外し可能な構成としてもよい。
【００３４】
図７は、ＣＣＤカメラ４０をキャビネット９０内に対して着脱可能とした様子を示している。同図は液晶テレビジョン１００を背面側から示している。背面側のキャビネット９０の壁面の所定箇所にはＣＣＤカメラ４０を出し入れするための開口４２が形成されている。
【００３５】
同図（ａ）は、キャビネット９０内にＣＣＤカメラ４０を収容した状態であり、ＣＣＤカメラ４０は開口４２からキャビネット９０内部に向かって形成されている空間内おいて、レンズをＤＶＤドライブ３０に向けた状態で図示しない支持手段によって支持されている。このとき、ＣＣＤカメラ４０の後端に設けられたビデオ信号出力端子４１は、上記空間内に露出する端子であって他端を上記バス７０に接続させているビデオ信号入力端子（不図示）と連結している。
【００３６】
同図（ｂ）は、キャビネット９０からＣＣＤカメラ４０を取り出した状態を示している。つまり、ＣＣＤカメラ４０は上記支持手段による支持から開放され、開口４２から外部に脱出している。このとき、ＣＣＤカメラ４０のビデオ信号出力端子４１と上記空間内のビデオ信号入力端子とを所定のケーブル４３で接続する。
このようにＣＣＤカメラ４０を着脱可能とすることで、ＣＣＤカメラ４０はディスク６０の走行状態の撮影だけではなく、液晶テレビジョン１００の外部の撮影にも使用可能となり、ＣＣＤカメラ４０の用途が広がる。
【図面の簡単な説明】
【００３７】
【図１】液晶テレビジョンの斜視図。
【図２】液晶テレビジョンの内部構造にかかる側面図。
【図３】液晶テレビジョンの回路構成を示したブロック図。
【図４】ＣＣＤカメラとディスクとの相対的な位置関係を示した図。
【図５】ＣＣＤカメラとディスクとの相対的な位置関係を示した図。
【図６】液晶テレビジョンの正面図。
【図７】液晶テレビジョンの背面図。
【符号の説明】
【００３８】
１０…液晶パネル
１１…サブ画面
２０…メイン基板
３０…ＤＶＤドライブ
３１…ディスク挿入口
３２…ミラー
４０…ＣＣＤカメラ
４２…開口
５０…内部照明
６０…ディスク
８１…チューナ回路
８２…画像データ生成回路
８３…液晶パネル駆動回路
８４…マイコン
９０…キャビネット
１００…液晶テレビジョン
【図１】
2006331551.tif 000003
【図２】
2006331551.tif 000004
【図３】
2006331551.tif 000005
【図４】
2006331551.tif 000006
【図５】
2006331551.tif 000007
【図６】
2006331551.tif 000008
【図７】
2006331551.tif 000009